(57)【特許請求の範囲】
【請求項１】
ＲＤＳ放送を受信するＲＤＳ受信機において、
セパレーション特性を制御するセパレーション特性制御手段と、
ＮＦ機能のオン時、ＮＦ機能のオフ時に比べて前記セパレーション特性制御手段の動作を抑制し、セパレーション特性の補正量を小さくする制御を行う抑制手段と
を具備することを特徴とするＲＤＳ受信機。
【請求項２】
ＲＤＳ放送を受信するＲＤＳ受信機において、
トーンコントロール特性を制御するトーンコントロール特性制御手段と、
ＮＦ機能のオン時、ＮＦ機能のオフ時に比べて前記トーンコントロール特性制御手段の動作を抑制し、トーンコントロール特性の補正量を小さくする制御を行う抑制手段と
を具備することを特徴とするＲＤＳ受信機。
【請求項３】
ＲＤＳ放送を受信するＲＤＳ受信機において、
周波数特性を制御する周波数特性制御手段と、
ＮＦ機能のオン時、ＮＦ機能のオフ時に比べて前記周波数特性制御手段の動作を抑制し、周波数特性の補正量を小さくする制御を行う抑制手段と
を具備することを特徴とするＲＤＳ受信機。
【請求項４】
前記抑制する手段が、前記ＮＦ機能のオン時に加えて、ＡＦ可能局の有無を条件として前記制御手段の動作を抑制し、その補正量を小さくする制御を行うことを特徴とする請求項１ないし３のいずれか１項に記載のＲＤＳ受信機。
【発明の詳細な説明】
【０００１】
【発明の属する技術分野】
本発明は、ＲＤＳ(Radio Data system) 放送を受信するためのＲＤＳ受信機に関するものである。
【０００２】
【従来の技術】
欧州で実用化されているＲＤＳ放送システムには、ＲＤＳ受信機の受信性能を向上させる機能として、ＮＦ機能（自動追尾機能、ＮＦ：Netword Follow) がある。
ＮＦ機能について図８を用いて説明する。いま、図に示すように、同一ネットに属し、同一放送内容を放送する放送局がａ，ｂ，ｃと存在していて、ＲＤＳ受信機を搭載した車両２０がＡ地点から、Ｂ、Ｃ地点へ移動しようとしているとする。ＲＤＳ受信機は、Ａ地点では、ａ局を受信局とし、ｂ，ｃ局を飛び先可能な局（ＡＦ局、ＡＦ：Altenative frequency）としている。
【０００３】
ＲＤＳ受信機は、ＮＦ機能を達成するために、ＡＦ局をメモリ内に保持し、電界強度をモニタし、かつ受信状態を表すノイズ特性を付加した上で、ＡＦ局をメモリ内でソーティングする。そして、車両２０の移動に伴って、最も良い受信性能が得られる放送局からの信号を受信するように切り替えが行われる。この結果、受信局は、車両２０の移動に伴いａ→ｂ→ｃと移行していく。
【０００４】
ところで、従来のＲＤＳ受信機においては、ＮＦ機能のオン・オフに関係なく、受信性能を決定するファクターであるＡＧＣ，ＡＳＣ，ＡＴＣ，周波数特性等を、図９に示すように制御していた。これは、アンテナ入力の電界強度が低下すると、各ファクターをノイズを軽減する方向に制御するものである。このように、各種ファクターをノイズを軽減する方向に制御すると、電界強度が低下するに従って、高域がカットされる、ステレオ感がなくなる等の音質の低下が表れることとなる。
【０００５】
【発明が解決しようとする課題】
前述のように、従来のＲＤＳ受信機においては、ＮＦ機能がオンの状態でも受信性能を向上させるために各ファクターの制御が行われる。したがって、アンテナ入力の電界強度が低下してもノイズが軽減されるため、ＮＦ機能におけるノイズの検出が遅れることとなり、受信状態の良いＡＦ可能局への切り替えが遅れることとなる。このため、ＡＦ可能局に切り替わるまでの音質が低下した状態での受信状態が、かえって長く続くという結果をもたらすこととなる。
【０００６】
本発明は、ＲＤＳ受信機において、ＦＭの受信特性として相反する特性であるノイズを少なくするということと音質等を良くするということを両立させることを目的とするものである。
【０００７】
【課題を解決するための手段】
本発明は、上記目的を達成するため、ＲＤＳ放送を受信するＲＤＳ受信機において、受信性能を決定するファクターを制御する手段と、この手段を、ＮＦ機能のオン・オフに応じて制御する手段を設ける。受信性能を決定するファクターとしては、セパレーション特性と、トーンコントロール特性と、周波数特性とがある。なお、ＮＦ機能のオン・オフに応じて上記各特性を制御する際、各特性は、単独で制御することも、全部を制御することも、あるいは、適当に組合せて制御することも可能である。
【０００８】
上記の各手段を設けることにより、ＮＦ機能がオンとされると、受信性能を決定するファクターを制御する手段は動作が抑制される。したがって、現在の受信状態が悪化してもノイズは抑制されず、ＮＦ機能はこのノイズを速やかに検出する。このノイズが検出されると、ＮＦ機能により受信状態のより良いＡＦ可能局への切替えが行われる。したがって、ノイズの発生も、音質の低下も防止することができる。
【０００９】
なお、ＮＦ機能がオフとされると、受信性能を決定するファクターは、従来のものと同様に、アンテナ入力に応じてノイズを軽減する方向に制御される。したがって、ＮＦ機能がオフのときは、従来のＦＭ受信機と同様に受信状態が悪化するが、ノイズの発生が少ない特性が得られる。
本発明においては、以上説明したＮＦ機能のオン・オフに加えて、ＡＦ可能局があること、更には、受信可能な局数が所定数以上あることを条件として、受信性能を決定するファクターを制御することができる。
【００１０】
【発明の実施の形態】
図７は、ＲＤＳ受信機の全体のブロック図を示す。図において、１はアンテナ、２はフロントエンド、３はＩＦアンプ、４はＦＭ検波器、５はＭＰＸ復調回路、６は音量制御回路、７は音質制御回路、８は音場制御回路、９，１１は出力アンプ、１０，１２はスピーカ、１３はバンドパスフィルタ、１４はＲＤＳデータ復調回路、１５はコントローラ、１６はＲＡＭ、１７はＲＯＭ、１８は操作スイッチパネル、１９はディスプレイである。
【００１１】
なお、コントローラ１５はＣＰＵで構成され、ＮＦ機能のオン・オフは、操作パネルスイッチ１８により設定される。
ＲＤＳ受信機は、ＮＦ機能を達成するために、一般的に、ＡＦ局をＲＡＭ１６内に保持し、電界強度をモニタしかつ受信状態を表すノイズ特性を付加した上で、ＡＦ可能局をＲＡＭ１６内でソーティングしている。
【００１２】
図１〜図６に、受信性能を制御する回路と、その制御を行う回路を示す。
図１は、受信性能を決定するファクターとしてＡＧＣ特性を制御する場合の回路を示す。
図において、２はフロントエンド、４はＦＭ検波器、１５はコントローラである。これらのＲＤＳ受信機における位置は、前述の図７に示されている。
【００１３】
ＦＭ検波器４からＳメータ（信号レベル）がコンパレータ２１の入力に接続される。コンパレータ２１の他方の入力には、基準電圧が入力される。コンパレータ２１の出力は、トランジスタ２２のベースに接続される。トランジスタ２２のコレクタとエミッタは、フロントエンド２のＡＧＣ回路と接地との間に接続される。さらに、トランジスタ２２ベースには、コントローラ１５からのＮＦオン信号が印加される。
【００１４】
上記回路においては、アンテナ入力の電界強度が大きいとき、ＦＭ検波器４からの信号レベルが基準値を超え、コンパレータ２１から信号が出力されるので、トランジスタ２２がオンとなり、フロントエンド２のＡＧＣ回路は接地され、ＡＧＣ回路の動作は抑制される。逆に電界強度が小さいときは、トランジスタ２２はオフとなるので、フロントエンド２のＡＧＣ回路はゲインを上昇させる動作を行う。
【００１５】
コントローラ１５から、ＮＦオン信号が出力されると、トランジスタ２２はオンとなり、ＡＧＣ回路の動作は抑制される。これは、ＦＭ検波器４の信号レベルの大小に関係なく行われる。
図６に、コントローラ１５によりＮＦオン信号を出力する手順を示す。
ステップＳ１でＮＦ機能がオンされているか否かを判定し、ステップＳ２でＡＦ可能局があるか否かを判定し、ステップＳ３でＡＦ可能局の数が所定数（例、２局以上）あるか否かが判定される。そして、全部のステップでＹＥＳであれば、ステップＳ４でＮＦオン信号を出力し、一つでもＮＯがあればステップＳ５でＮＦオフ信号が出力される。
【００１６】
以上説明した回路によれば、ＮＦ機能がオンであり、かつＡＦ可能局があり、その数が所定数以上あれば、コントローラ１５からＮＦオン信号が出力され、ＡＧＣ回路の動作が抑制される。これにより、アンテナ１から入力される電界強度が低下しても、ＲＤＳ受信機の音質が低下する制御は行われず、かつノイズの発生は抑制されない。したがって、ＮＦ機能はノイズを検出して速やかに受信状態の良いＡＦ局への移行を行うので、ノイズの発生も音質の低下も生じない。
【００１７】
図２は、受信性能を決定するファクターとしてＡＳＣ特性とＡＴＣ特性を制御する場合の回路を示す。
図において、５はＭＰＸ復調回路、１５はコントローラである。これらのＲＤＳ受信機における位置は、前述の図７に示されている。
ＭＰＸ復調回路５のＡＳＣ回路は、抵抗Ｒ１を介して接地され、さらに抵抗Ｒ３とトランジスタ３１の直列回路を介して接地される。また、ＡＴＣ回路は、抵抗Ｒ２を介して接地され、さらに抵抗Ｒ４とトランジスタ３２の直列回路を介して接地される。また、各トランジスタ３１，３２のベースに、コントローラ１５からのＮＦオフ信号が印加される。このＮＦオフ信号は、図６のステップＳ５で得られる信号である。
【００１８】
コントローラ１５からＮＦオフ信号が出力されると、トランジスタ３１，３２はオンとなり、ＡＳＣ回路及びＡＴＣ回路と接地間の抵抗値は、小さくなる。また、ＮＦオフ信号が出力されない場合は、ＡＳＣ回路及びＡＴＣ回路と接地間の抵抗値は大きくなる。これにより、ＡＳＣ特性とＡＴＣ特性は、図３に示すように変化する。つまり、ＮＦ機能がオフの場合、各特性は破線で示すように大きな補正がかかっているが、ＮＦ機能がオンとなると、各特性は実線で示すように、補正量が小さくなり、各特性が抑制される。
【００１９】
以上説明した回路によれば、ＮＦ機能がオンであり、かつＡＦ可能局があり、その数が所定数以上あれば、コントローラ１５からＮＦオフ信号が出力されず、ＡＳＣ回路、ＡＴＣ回路の動作が抑制される。これにより、アンテナ１から入力される電界強度が低下しても、ＲＤＳ受信機の音質が低下する制御は行われず、かつノイズの発生は抑制されない。したがって、ＮＦ機能はノイズを検出して速やかに受信状態の良いＡＦ局への移行を行うので、ノイズの発生も音質の低下も生じない。
【００２０】
図４は、受信性能を決定するファクターとして周波数特性を変更する場合の回路を示す。
図において、５はＭＰＸ復調回路、１５はコントローラである。これらのＲＤＳ受信機における位置は、前述の図６に示されている。
ＭＰＸ復調回路５の出力に、直列に抵抗Ｒ１が挿入され、接地との間にコンデンサＣ１が接続され、このコンデンサと並列にコンデンサＣ２とトランジスタ４１の直列回路が接続される。また、トランジスタ４１のベースに、抵抗Ｒ２を介しコントローラ１５からのＮＦオフ信号が印加される。
【００２１】
コントローラ１５からＮＦオフ信号が出力されると、トランジスタ４１はオンとなり、コンデンサＣ１とＣ２が並列接続されるのでコンデンサ容量は増加する。また、抑制信号が出力さないとトランジスタ４１はオフとなり、コンデンサＣ２が切り離されるのでコンデンサ容量は減少する。これにより、周波数特性は、図５に示すように変化する。つまり、ＮＦ機能がオフの場合、周波数特性は破線に示すように大きな補正がかかるが、ＮＦ機能がオンとなると、実線で示すように補正量が小さくなり、周波数特性が抑制される。
【００２２】
以上説明した図１〜図５の回路によれば、ＮＦ機能がオンであり、かつＡＦ可能局があり、その数が所定数以上あれば、コントローラ１５からＮＦオフ信号が出力されず、周波数特性が変更される。これにより、アンテナ１から入力される電界強度が低下しても、ＲＤＳ受信機の音質が低下する制御は行われず、かつノイズの発生は抑制されない。したがって、ＮＦ機能はノイズを検出して速やかに受信状態の良いＡＦ局への移行を行うので、ノイズは発生せず、音質の低下が生じない。
【００２３】
なお、図６に示す手順において、ステップＳ３を省略すること、又はステップＳ２とステップＳ３を省略することも可能である。この変形例と図７の例との差は次のとおりとなる。
ＮＦ機能がオフのときの動作は両者同様である。ＮＦ機能がオンであり、かつＡＦ可能局があり、その数が所定数以上ある場合の動作も、両者同様である。ＮＦ機能がオンであり、ＡＦ可能局がない又はその数が所定数以上ないという場合は、図７の例では、ＲＤＳ受信機における受信性能が低下した場合、ノイズの抑制がされるが、音質が低下する。一方、変形例ではノイズの抑制がされない。
【００２４】
【発明の効果】
本発明によれば、ＲＤＳ受信機において、ＦＭの受信特性として相反する特性であるノイズを少なくするということと音質等を良くするということを両立させることができる。
【図面の簡単な説明】
【図１】本発明の第１の実施形態の回路図。
【図２】本発明の第２の実施形態の回路図。
【図３】図２の回路による特性の変化を示すグラフ。
【図４】本発明の第３の実施形態の回路図。
【図５】図４の回路による特性の変化を示す図。
【図６】図１、図２、図４におけるコントローラの動作を説明するフローチャート。
【図７】ＲＤＳ受信機の回路図。
【図８】ＮＦ機能を説明する図。
【図９】受信性能を決定するファクターを説明する図。
【符号の説明】
１…アンテナ
２…フロントエンド
４…ＦＭ検波器
５…ＭＰＸ復調回路
１５…コントローラ
１６…ＲＡＭ
１７…ＲＯＭ
１８…操作スイッチパネル
２０…車両
２１…コンパレータ
２２，３１，３２，４１…トランジスタ
【図１】
0003675518.tif 000002
【図２】
0003675518.tif 000003
【図３】
0003675518.tif 000004
【図４】
0003675518.tif 000005
【図５】
0003675518.tif 000006
【図６】
0003675518.tif 000007
【図７】
0003675518.tif 000008
【図８】
0003675518.tif 000009
【図９】
0003675518.tif 000010